(57)【特許請求の範囲】
【請求項１】
釣り針４に強化チモト６を結び、該チモト６又は該チモト６と針素２との間に係止体７を設け、前記針素２の他端を摺動係止体８に固定し、該摺動係止体８に、前記針素２と実質的に同じ太さ、又は、少なくとも道糸９よりも細い先糸１６を摺動自在に挿通し、該先糸１６の先端１６ａを弾性体の補強杆１の後部に固定し、該先糸１６の後端１６ｂを位置決めリング１５に連結し、該位置決めリング１５に道糸９を連結し、且つ前記先糸１６と実質的に同じ長さの補強体１７の一端１７Ａを前記補強杆１の後部に固定し、該補強杆１に少なくとも１本の弾性補助杆３を設け、前記先糸１６及び針素２を前記弾性補助杆３に係合できる状態に構成し、且つ、飛ばし手段５を前記道糸９と前記補強体１７との間に設け、魚の所定力以上の引き及び竿の合わせで前記飛ばし手段５を作動させ、前記飛ばし手段５が作動した時に魚が針素２を引っ張る力が前記弾性補助杆３又は前記補強杆１の少なくとも一方を弾性変形させるように構成し、前記補強杆１の前部の係止部１０を経て道糸９に伝達し、以て前記針素２を該補強杆１でブリッジして補強すると共に前記先糸１６を前記位置決めリング１５を介して補強体１７の一端１７Ａと他端１７Ｂとでブリッジして補強するように構成した自動針素補強具。
【請求項２】
釣り針４に強化チモト６を結び、該チモト６又は該チモト６と針素２との間に係止体７を設け、前記針素２の他端を摺動係止体８に固定し、該摺動係止体８に、前記針素２と実質的に同じ太さ、又は、少なくとも道糸９よりも細い先糸１６を摺動自在に挿通し、該先糸１６の先端１６ａを補強杆１の後部に固定し、該先糸１６の後端１６ｂを位置決めリング１５に連結し、該位置決めリング１５に道糸９を連結し、且つ該位置決めリング１５に前記先糸１６と実質的に同じ長さの補強体１７の一端１７Ａを連結し、飛ばし手段５を前記道糸９と前記補強体１７との間に設け、魚の所定力以上の引き及び竿の合わせで前記飛ばし手段５を作動させ、前記補強杆１の前部の係止部１０を経て道糸９に伝達し、以て前記針素２を該補強杆１でブリッジして補強すると共に前記先糸１６を前記位置決めリング１５を介して補強体１７の一端１７Ａと他端１７Ｂとでブリッジして補強するように構成した自動針素補強具。
【発明の詳細な説明】
【０００１】
【発明の属する分野】
本発明は、魚を釣る時に用いる自動針素補強具の改良に関する。
【０００２】
【従来の技術】
本発明者は、魚を釣る時に用いる自動針素補強具として、その基本技術を、既に特許及び実用新案として提案している。本発明にかかる自動針素補強具の従来技術の説明として、その実用新案を参考として、図１０〜図１２に基づいて説明すると、その自動針素補強具は、釣り針４に強化チモト６を結び、該チモト６又は該チモト６と針素２との間に係止体７を設け、前記針素２の他端を摺動係止体８に固定し、該摺動係止体８に道糸９を摺動自在に挿通し、該道糸９の先端を補強杆１の後部に固定し、且つ、飛ばし手段５（弾性保持具５Ａ，テグス５Ｂ）を前記道糸９と前記補強杆１との間に設け、魚の所定力以上の引きで前記飛ばし手段５を作動させ、前記補強杆１の前部の係止部１０を経て道糸９に伝達し、以て前記針素２を該補強杆１でブリッジして補強するように構成されている。１３は、後部係止環で、１５は位置決めリングである。
【０００３】
上記自動針素補強具によって、細い針素を用いことが出来ることによって喰いを向上させ、魚釣り効果を高めることが出来るに至ったが次の問題を残していた。  即ち、上記自動針素補強具の構成では、前記飛ばし手段５を作動させ、前記補強杆１の前部の係止部１０を経て道糸９に伝達し、以て前記針素２を該補強杆１でブリッジして補強する際、実際には、図１２に示す係止体７と補強杆１の前部の係止部１０との係合は、魚の引きによる針素２の伸びによって達成される。
【０００４】
従って、前記係止体７は、予め予定した長さ分（２〜３ｃｍ）だけ針素２側に近く位置させて設けるが（現実にはチモト６を長くすることになる）、針素２の頻繁な伸びによる劣化等で弾性が低下すると確実な係止状態が得られず、ブリッジ作用が完成されずに、針素２が切れてしまうことがある。  同時に、長いチモト６を使用したくないという者の要望に反するし、また、微妙な係止体７の位置設定が難しくなるということも意味する。
また、最近に開発されてきた金属製等の伸びは殆ど無いが細くて強力で釣り効果の高い針素を使用したいという要望もある。
そこで、こうした問題を解決するために、本発明は、かかる従来技術のもつ問題点を解決し、自動針素補強具における係止体の位置設定を容易にし、また、針素を長短自在に設定することのが出来得るようにすると共に針素に伸びの無い素材も利用できるようにすることを考え、特願２００１−１２０３７９において提案した。
【０００５】
即ち、図１３乃至図１５に示すように、釣り針４に強化チモト６を結び、該チモト６又は該チモト６と針素２との間に係止体７を設け、前記針素２の他端を摺動係止体８に固定し、該摺動係止体８に道糸９を摺動自在に挿通し、該道糸９の先端を補強杆１の後部に固定し、且つ、飛ばし手段５（弾性保持具５Ａ，テグス５Ｂ）を前記道糸９と前記補強杆１との間に設け、魚の所定力以上の引きで前記飛ばし手段５を作動させ、前記補強杆１の前部の係止部１０を経て道糸９に伝達し、以て前記針素２を該補強杆１でブリッジして補強するように構成した自動針素補強具において、前記補強杆１を弾性体で構成し、該補強杆１に少なくとも１本の弾性補助杆３を設け、前記道糸９及び針素２を前記弾性補助杆３に、環体３Ａを介して係合できる状態に構成し、前記飛ばし手段５が作動した時に魚が針素２を引っ張る力が前記弾性補助杆３又は前記補強杆１の少なくとも一方を弾性変形させることで前記補強杆１による針素２のブリッジが完成されるように構成した、という手段を講じた。  １４は、補償用飛ばし手段で、弾性保持具１４Ａ，テグス１４Ｂから構成されている。
【０００６】
こうした簡単な構造によって、自動針素補強具の作動に際して、針素の伸びを利用しないので針素に負担を掛けることが無くなり、且つ、針素の伸び代を考慮する必要がないので補強具全体の長さ（針素の長さ）を殆ど自在に設定（コンパクト化を含む）できるという優れた効果を奏するに至ったものである。  しかも、針素を補強杆でブリッジするために行う初期位置決め（係止体の位置）を、針素の伸び代を考慮することなく決定できるので、魚の喰いによる最終のブリッジ状態を予定し、現実の針素の長さを考慮してその位置決めを行えば済み、極めて容易に係止体の位置決めを行うことができる利点がある。
逆に、針素の伸びを利用しないところから、伸びのない素材の針素、金属性のテグス、伸びの少ない素材のテグスを利用することも可能である。
【０００７】
【発明が解決しようとする課題】
しかし乍ら、この弾性補助杆３を用いる自動針素補強具は、コンパクトに構成できながらセッティングが容易であるという利点があるが、この針素２が連結される摺動係止体８には太い道糸９が挿通されているので、細い針素２が見に付き難いとしても太い道糸９が魚の目に触れることになる。  しかし、前記針素２の長さは実質的に補強杆１の長さで制限を受けるから、細い針素２を長くすることも出来ない。
この現象は、弾性補助杆３を用いない、従来型の直線の補強杆１の場合も同じく生じる。
加えて、太い道糸９は、投げ込みした時に、リールから巻き戻した際のクセでループを描くことが多いので、余計に魚の目に付き易いという問題もある。
【０００８】
そこで、本発明は、前記摺動係止体８に、例えば針素と同様の太さで、所要長さの細い糸（糸状体）を連結し、その後に太い道糸に連結するれば良いのではないかと考えた。
しかし、この細い糸を針素と道糸との間に介在させると、強い引き（魚及び竿の合わせ引き）に際して、この細い糸部分で切断される恐れが生じる。
【０００９】
本発明は、この細い糸（糸状体）を使用して魚の喰いを良くすることが出来ながら、この細い糸部分で切断されることがないようにして、以て、自動針素補強具を依り一層優れたものに改善することを目的とする。
【００１０】
【課題を解決するための手段】
本発明にかかる自動針素補強具は、上記目的を達成するために、釣り針４に強化チモト６を結び、該チモト６又は該チモト６と針素２との間に係止体７を設け、前記針素２の他端を摺動係止体８に固定し、該摺動係止体８に、前記針素２と実質的に同じ太さ、又は、少なくとも道糸９よりも細い先糸１６を摺動自在に挿通し、該先糸１６の先端１６ａを弾性体の補強杆１の後部に固定し、該先糸１６の後端１６ｂを位置決めリング１５に連結し、該位置決めリング１５に道糸９を連結し、且つ前記先糸１６と実質的に同じ長さの補強体１７の一端１７Ａを前記補強杆１の後部に固定し、該補強杆１に少なくとも１本の弾性補助杆３を設け、前記先糸１６及び針素２を前記弾性補助杆３に係合できる状態に構成し、且つ、飛ばし手段５を前記道糸９と前記補強体１７の他端１７Ｂとの間に設け、魚の所定力以上の引き及び竿の合わせで前記飛ばし手段５を作動させ、前記飛ばし手段５が作動した時に魚が針素２を引っ張る力が前記弾性補助杆３又は前記補強杆１の少なくとも一方を弾性変形させるように構成し、前記補強杆１の前部の係止部１０を経て道糸９に伝達し、以て前記針素２を該補強杆１でブリッジして補強すると共に前記先糸１６を前記位置決めリング１５を介して補強体１７の一端１７Ａと他端１７Ｂとでブリッジして補強するように構成した、という手段を講じたものである。
【００１１】
また、本発明にかかる自動針素補強具は、上記目的を達成するために、釣り針４に強化チモト６を結び、該チモト６又は該チモト６と針素２との間に係止体７を設け、前記針素２の他端を摺動係止体８に固定し、該摺動係止体８に、前記針素２と実質的に同じ太さ、又は、少なくとも道糸９よりも細い先糸１６を摺動自在に挿通し、該先糸１６の先端１６ａを補強杆１の後部に固定し、該先糸１６の後端１６ｂを位置決めリング１５に連結し、該位置決めリング１５に道糸９を連結し、且つ該位置決めリング１５に前記先糸１６と実質的に同じ長さの補強体１７の一端１７Ａを連結し、飛ばし手段５を前記道糸９と前記補強体１７との間に設け、魚の所定力以上の引き及び竿の合わせで前記飛ばし手段５を作動させ、前記補強杆１の前部の係止部１０を経て道糸９に伝達し、以て前記針素２を該補強杆１でブリッジして補強すると共に前記先糸１６を前記位置決めリング１５を介して補強体１７の一端１７Ａと他端１７Ｂとでブリッジして補強するように構成した、という手段を講じたものである。
【００１２】
【実施の態様】
本発明において、前記補強杆１は、ステンレススチールのロッドを用い、その弾性を利用しているが、ピアノ線でも、合成樹脂製の棒材でも、ファイバーグラスでも、適宜の弾性を有する素材で構成して良い。  このことは、前記弾性補助杆３についても言える。
また、前記道糸９及び針素を前記弾性補助杆３に係合できる状態の構成として、実施例では、前記弾性補助杆３の先端に環体３Ａを設け、ここに前記道糸９及び針素を通るようにしているが、環体３Ａでなく、フックの構造でもガイド溝構造でも筒状体でも適宜の構造を用いて良い。
上記細い先糸１６とは、針素２と実質的に同じ太さ、又は、少なくとも道糸９よりも細いものを意味し、本発明の目的に合致する細さを言う。  また、先糸１６は、ナイロンテグス、金属製テグス、カーボン繊維等の既存の糸状体であれば本発明を実施出来る。
上記補強体１７については、前記先糸１６を補強する役目であるから、両者の強度の合算が道糸９と実質同じ強度となるような強さであれば良く、その素材も、前述の先糸１６と同様のものでよい。
【００１３】
本発明によれば、魚の喰いつきにより飛ばし手段５が作動すると、先糸１６が摺動係止体８を介して相対的に手繰り寄せられ、その結果、前記先糸１６は、補強体１７の一端１７Ａ（補強杆１に固定）と他端１７Ｂ（前記位置決めリング１５に固定乃至先糸１６に直結、又は前記道糸９にガイド環１８を介して摺動自在に係合、或いは、絡み発生が無いと仮定すれば理論的にはフリーの状態とすることもある）とにより、この補強体１７でブリッジされることになる。
【００１４】
上述した先糸１６の後端１６ｂを位置決めリング１５に連結しというのは、この位置決めリング１５を、位置決めの機能と先糸１６と道糸９とを連結する中継物として兼用していることを意味するが、勿論、先糸１６と道糸９とが直接連結することも含むものである。
この際、請求項１に関して言うならば、前記位置決めリング１５に道糸９を連結しということになっているが、このことは、前述の位置決めリング１５を中継物と見立てて表現しているも、本発明の目的に照らし、理論的に先糸１６と道糸９とが直接連結されることを含むものであることは理解できよう。
【００１５】
ここで、請求項１と請求項２の発明の差異について端的に言及すると、請求項１は、弾性補助杆３を備えているタイプであり、請求項２は補強杆１のみを有するものであるという点である。
また、こうした請求項１及び請求項２は、一つの構成表現、即ち、飛ばし手段５を前記道糸９と前記補強体１７との間に設けという構成と、前記先糸１６を前記位置決めリング１５を介して補強体１７の一端１７Ａと他端１７Ｂとでブリッジして補強するように構成したという構成表現を採っているが、この中に、二つの実施例が含まれている。
【００１６】
即ち、補強体１７の他端１７Ｂが、中程で折り返しされて位置決めリング１５に連結され、この補強体の１７の適宜の箇所（通常、略中間位置）と道糸９との間に飛ばし手段５（道糸９側に松葉クリップ５ａ、補強体１７に係合リング５ｂをフリーの状態で嵌めてある。但し、補強体１７の中間位置であれば、係合リング５ｂを固定してもよい）を設ける場合と、補強体１７の他端１７Ｂにガイド環１８を設け、道糸９をスライドして前記位置決めリング１５とこのガイド環１８とが接当して前述のブリッジ現象を生み出すようにした場合とである。
尚、上述した飛ばし手段５として、自動針素止めを、前記松葉クリップ５ａに代え、前記係合リング５ｂに代えた細い針素との組み合わせ（所謂飛ばし）としても良い。
この細い針素を用いる飛ばしは、後述の作動補償用飛ばし手段１４にも応用出来る。
【００１７】
【実施例】
本発明にかかる自動針素補強具の好適実施例について、図１乃至図９に基づいて以下詳細に説明する。
【００１８】
第１実施例
この実施例における自動針素補強具の構成を、図１から図３に基づいて説明する。  図１は、釣り投入時のセッティングの状態を示し、図２は、魚の喰いにより合わせをして飛ばし手段５が作動した中間状態を示し、図３は作動補償用飛ばし手段１４が作動した最終状態（先糸１６及び針素２が共にブリッジ補強された状態）を示す。
釣り針４に強化チモト６を結び、該チモト６又は該チモト６と針素２との間に係止体７を設け、前記針素２の他端を摺動係止体８に固定し、該摺動係止体８に細い先糸１６を摺動自在に挿通し、該先糸１６の先端１６ａを弾性体の補強杆１の後部に固定し、該先糸１６の後端１６ｂを位置決めリング１５に連結し、該位置決めリング１５に道糸９を連結し、且つ前記先糸１６と実質的に同じ長さの補強体１７の一端１７Ａを前記補強杆１の後部に固定してある。
そして、前記補強杆１に１本の弾性補助杆３を、正面視でくの字型を呈する（飛ばし手段５の作動後の姿）如くに設け、前記先糸１６及び針素２を前記弾性補助杆３に係合できる状態に構成し、且つ、飛ばし手段５を前記道糸９と前記補強体１７との間に設けてある。
【００１９】
この飛ばし手段５を設ける具体構成として、この実施例では、前記補強体１７の後端１７Ｂを、上記位置決めリング１５に連結している。  即ち、この位置決めリング１５には、先糸１６、道糸９及び補強体１７の三本が連結されていることになる。  つまり、三者が一体連結されているのである（実際には、位置決めリング１５の強度上の問題があるので、位置決めリング１５に負荷かからないように直接連結されている）。  そして、道糸９側に設けた松葉クリップ５ａと、補強体１７にフリーの状態で嵌めてある係合リング５ｂとを弾性係合させることで構成してある。
【００２０】
更に、魚の所定力以上の引き及び竿の合わせで前記飛ばし手段５を作動させ、前記飛ばし手段５が作動した時に魚が針素２を引っ張る力が前記弾性補助杆３又は前記補強杆１の少なくとも一方を弾性変形させるように構成し、前記補強杆１の前部の係止部１０を経て道糸９に伝達し、以て前記針素２を該補強杆１でブリッジして補強すると共に前記先糸１６を前記位置決めリング１５を介して補強体１７の一端１７Ａと他端１７Ｂとでブリッジして補強するように構成してある。
ここに言う前記位置決めリング１５を介してとは、この実施例では、上述した三者の直接一体連結及び位置決めリング１５を中継とした連結を言う。
【００２１】
次に、上記弾性補助３の構成、作動について更に詳しく説明すると、
前記補強杆１を弾性体で構成し、該補強杆１に１本の弾性補助杆３を設け、前記先糸１６及び針素２を前記弾性補助杆３に係合できる状態に構成し、前記飛ばし手段５が作動した時に魚が針素２を引っ張る力が前記弾性補助杆３又は前記補強杆１の少なくとも一方を弾性変形させることで前記補強杆１による針素２のブリッジが完成されるように構成しているところである。
【００２２】
そして、前記道糸９及び針素２を前記弾性補助杆３に係合できる状態に構成する構造としては、前記弾性補助杆３の後端部を前記補強杆１の後端部に固定し、図１乃至図３に示す如く、正面視で横向きのくの字型として、その先端に環体３Ａを設け、ここの中を前記道糸９及び針素２が通過できるようにし、以て、前記弾性補助杆３の弾性変位（前記補強杆１に対する接近、離間）に伴って前記道糸９及び針素２にテンションを付与できるようにされている。
【００２３】
即ち、飛ばし手段５が作動すると、魚の引きと竿の引っ張りによる引き合いで、弾性補助杆３が撓み、結果として係止体７と補強杆１の係合部１０との係合が得られない状態が現出した時に、上記作動補償用飛ばし手段１４にその引っ張り力が作用して、飛ばし機能を発揮する。  この作動補償用飛ばし手段１４が機能すると、前記位置決めリング１５とこの作動補償用飛ばし手段１４との間の弛み代が開放され、前記弾性補助杆３の復元力を抑制する力も開放されて、前記補強杆１を後退させ、その結果、前記係止体７と補強杆１の係合部１０との係合が得られるのである。  換言すると、この係合状態を補償する機能を発揮することになる。
【００２４】
ここで、作動補償用飛ばし手段１４について、図３に基づき、説明する。
この作動補償用飛ばし手段１４は、道糸９の一部を小さなループ状に弛ませ、そのループの一方に位置させた上記飛ばし手段５の松葉クリップ５ａと、前記ループの他方に設けた作動補償用リング５ｃとで構成してある。  この作動補償用飛ばし手段１４は、前述の飛ばし手段５（起動用）が作動した後で、最終段階に入った針素２の係止体７と補強杆１の係止部１０との係合を、その飛ばしを作動させることで確実に行うものである。
【００２５】
この実施例では、上記強化チモト６は、ケプラート（商標名）を用いており、その係止体７は、このケプラートの結び目（団子）をもって構成している。
また、補強杆１及び弾性補助杆３は共にステンレススチールの細いロッドを用いている。  そして、上記摺動係止体８としては、小孔のある小さなビーズを用いており、これに針素２（チモト６との結びの反対端）を結んで固定し、且つ、先糸１６を摺動移動可能に挿通してあって、これを通過した先糸１６の先端部１６ａが前記補強杆１の後部に固定される。  また、道糸９と先糸１６との間には、位置決めリング１５（リング構造でなくてもよい）が設けられており、上記補強杆１の後部から前方に伸びる先糸９の長さを自在に設定出来る。  この位置決めリング１５は、補強杆１の後部に設けられた後部係止環１３によって、先糸１６の前方への移動が阻止される。
【００２６】
第２実施例
この実施例は、図４及び図５に示されるが、上記第１実施例と比べて、上記飛ばし手段５の具体構成が異なるのが唯一の相違点である。  従って、その他の構成については、第１実施例の説明を援用するとして、全体を図示するが詳細説明は省く。
即ち、この自動針素補強具は、釣り針４に強化チモト６を結び、該チモト６又は該チモト６と針素２との間に係止体７を設け、前記針素２の他端を摺動係止体８に固定し、該摺動係止体８に細い先糸１６を摺動自在に挿通し、該先糸１６の先端１６ａを弾性体の補強杆１の後部に固定し、該先糸１６の後端１６ｂを位置決めリング１５に連結し、該位置決めリング１５に道糸９を連結し、且つ前記先糸１６と実質的に同じ長さの補強体１７の一端１７Ａを前記補強杆１の後部に固定し、該補強杆１に少なくとも１本の弾性補助杆３を設け、前記先糸１６及び針素２を前記弾性補助杆３に係合できる状態に構成し、且つ、飛ばし手段５を前記道糸９と前記補強体１７との間に設け、魚の所定力以上の引き及び竿の合わせで前記飛ばし手段５を作動させ、前記飛ばし手段５が作動した時に魚が針素２を引っ張る力が前記弾性補助杆３又は前記補強杆１の少なくとも一方を弾性変形させるように構成し、前記補強杆１の前部の係止部１０を経て道糸９に伝達し、以て前記針素２を該補強杆１でブリッジして補強すると共に前記先糸１６を前記位置決めリング１５を介して補強体１７の一端１７Ａと他端１７Ｂとでブリッジして補強するように構成されている。
【００２７】
ここでは、前記飛ばし手段５は、補強体１７の一端１７Ａを補強杆１の後端に固定し、他端１７Ｂにガイド環１８を設け、このガイド環１８に先糸１６を挿通し、このガイド環１８を位置決めリング１５よりも道糸９側に位置させてあり、この道糸９の側に松葉クリップ５ａが設けられ、これに前記ガイド環１８が嵌合係止されている。
【００２８】
そして、作動補償用飛ばし１４は、作動補償用リング５ｃと前記松葉クリップ５ａとで構成されている点は、先の実施例と同じであり、前記松葉クリップ５ａは、前記ガイド環１８と作動補償用リング５ｃとの両方に嵌合係止されている。
従って、魚の喰いにより前記飛ばし手段５が作動すると、即ち、松葉クリップ５ａとガイド環１８との係合が外れると、先糸１６は相対的に手繰り寄せられ、位置決めリング１５とガイド環１８との係合が行われることになり、ここに、先糸１６が補強体１７によりブリッジされることに成る。
【００２９】
第３実施例
この実施例は、弾性補助杆３を備えていない自動針素補強具としての基本構成のもので、請求項２において表されている。
従って、その他の構成については、上記実施例１と同じ構成を備えているものであるから、説明上重複すると思われるところについては、その説明を極力省略することとする。
即ち、この自動針素補強具は、釣り針４に強化チモト６を結び、該チモト６又は該チモト６と針素２との間に係止体７を設け、前記針素２の他端を摺動係止体８に固定し、該摺動係止体８に細い先糸１６を摺動自在に挿通し、該先糸１６の先端１６ａを補強杆１の後部に固定し、該先糸１６の後端１６ｂを位置決めリング１５に連結し、該位置決めリング１５に道糸９を連結し、且つ該位置決めリング１５に前記先糸１６と実質的に同じ長さの補強体１７の一端１７Ａを連結し、飛ばし手段５を前記道糸９と前記補強体１７との間に設け、魚の所定力以上の引き及び竿の合わせで前記飛ばし手段５を作動させ、前記補強杆１の前部の係止部１０を経て道糸９に伝達し、以て前記針素２を該補強杆１でブリッジして補強すると共に前記先糸１６を前記位置決めリング１５を介して補強体１７の一端１７Ａと他端１７Ｂとでブリッジして補強するように構成されている。
【００３０】
ここで、前記道糸９と前記補強体１７との間に設ける上記飛ばし手段５の構成としては、この実施例では、前記補強体１７の後端１７Ｂを、上記位置決めリング１５に連結している。  即ち、この位置決めリング１５には、先糸１６、道糸９及び補強体１７の三本が連結されていることになる。  つまり、三者が一体連結されているのである（実際には、位置決めリング１５の強度上の問題があるので、位置決めリング１５に負荷かからないように直接連結されている）。  そして、道糸９側に設けた松葉クリップ５ａと、補強体１７にフリーの状態で嵌めてある係合リング５ｂとを弾性係合させることで構成してある。
【００３１】
更に、魚の所定力以上の引き及び竿の合わせで前記飛ばし手段５を作動させ、前記飛ばし手段５が作動した時、前記補強杆１の前部の係止部１０を経て道糸９に伝達し、以て前記針素２を該補強杆１でブリッジして補強すると共に前記先糸１６を前記位置決めリング１５を介して補強体１７の一端１７Ａと他端１７Ｂとでブリッジして補強するように構成してある。  ここに言う前記位置決めリング１５を介してとは、この実施例では、上述した三者の直接一体連結及び位置決めリング１５を中継とした連結を言う。
その他の構成及びそれに対応する作用については、第１実施例と実質的に同じであるから省略する。
【００３２】
第４実施例
この実施例は、先の第３実施例と同じく、弾性補助杆３を備えていない自動針素補強具としての基本構成のもので、請求項２において含まれるものである。
従って、その他の構成については、上記実施例１と同じ構成を備えているものであるから、説明上重複すると思われるところについては、その説明を極力省略することとする。
即ち、この自動針素補強具は、釣り針４に強化チモト６を結び、該チモト６又は該チモト６と針素２との間に係止体７を設け、前記針素２の他端を摺動係止体８に固定し、該摺動係止体８に細い先糸１６を摺動自在に挿通し、該先糸１６の先端１６ａを補強杆１の後部に固定し、該先糸１６の後端１６ｂを位置決めリング１５に連結し、該位置決めリング１５に道糸９を連結し、且つ該位置決めリング１５に前記先糸１６と実質的に同じ長さの補強体１７の一端１７Ａを連結し、飛ばし手段５を前記道糸９と前記補強体１７との間に設け、魚の所定力以上の引き及び竿の合わせで前記飛ばし手段５を作動させ、前記補強杆１の前部の係止部１０を経て道糸９に伝達し、以て前記針素２を該補強杆１でブリッジして補強すると共に前記先糸１６を前記位置決めリング１５を介して補強体１７の一端１７Ａと他端１７Ｂとでブリッジして補強するように構成されている。
【００３３】
ここでは、前記飛ばし手段５は、補強体１７の一端１７Ａを補強杆１の後端に固定し、他端１７Ｂにガイド環１８を設け、このガイド環１８に先糸１６を挿通し、このガイド環１８を位置決めリング１５よりも道糸９側に位置させてあり、この道糸９の側に松葉クリップ５ａが設けられ、これに前記ガイド環１８が嵌合係止されている。
【００３４】
そして、作動補償用飛ばし１４は、作動補償用リング５ｃと前記松葉クリップ５ａとで構成されている点は、先の実施例と同じであり、前記松葉クリップ５ａは、前記ガイド環１８と作動補償用リング５ｃとの両方に嵌合係止されている。
従って、魚の喰いにより前記飛ばし手段５が作動すると、即ち、松葉クリップ５ａとガイド環１８との係合が外れると、先糸１６は相対的に手繰り寄せられ、位置決めリング１５とガイド環１８との係合が行われることになり、ここに、先糸１６が補強体１７によりブリッジされることに成る。
【００３５】
【発明の効果】
本発明によれば、弾性補助杆を備えた自動針素補強具でも、これを備えていない自動針素補強具でも、その針素の長さが補強杆の長さに制約されるても、その針素と実質的に同様の細い先糸を、所望の長さ分だけ用いることが可能になり、従来の太い道糸が直ぐに針素に連結されていた自動針素補強具に比べて、魚の喰いを良くすることが出来る。
上記針素が上記補強杆によりブリッジされて補強されることは言うまでもないが、本発明では、上記細い先糸についても、新たに設けた補強体によってブリッジされて補強されるので、魚が喰いついて引っ張り作用を受けても細い先糸が切断される恐れがないのである。
【００３６】
本発明のその他の具体的利点については、上記発明の実施の態様の項及び実施例の項において詳述した通りである。
【図面の簡単な説明】
【図１】本発明にかかる自動針素補強具の第１実施例の全体を示す初期設定時を示す斜視図である。
【図２】本発明にかかる自動針素補強具の第１実施例の全体を示す一作動状態を示す斜視図である。
【図３】本発明にかかる自動針素補強具の第１実施例の全体を示す一作動状態を示す斜視図である。
【図４】本発明にかかる自動針素補強具の第２実施例の初期設定時を示す全体の斜視図である。
【図５】本発明にかかる自動針素補強具の第２実施例の一作動状態を示す全体の斜視図である。
【図６】本発明にかかる自動針素補強具の第３実施例の初期設定時を示す全体の斜視図である。
【図７】本発明にかかる自動針素補強具の第３実施例の一作動状態を示す全体の斜視図である。
【図８】本発明にかかる自動針素補強具の第４実施例の初期設定時を示す全体の斜視図である。
【図９】本発明にかかる自動針素補強具の第４実施例の一作動状態を示す全体の斜視図である。
【図１０】一従来技術にかかる自動針素補強具の全体の斜視図である。
【図１１】一従来技術にかかる自動針素補強具の全体を示す初期設定時を示す斜視図である。
【図１２】一従来技術にかかる自動針素補強具の全体を示す一作動状態を示す斜視図である。
【図１３】別の従来技術にかかる自動針素補強具の全体の斜視図である。
【図１４】別の従来技術にかかる自動針素補強具の全体を示す初期設定時を示す斜視図である。
【図１５】別の従来技術にかかる自動針素補強具の全体を示す一作動状態を示す斜視図である。
【符号の説明】
１  補強杆
２  針素
３  弾性補助杆
４  釣り針
５  飛ばし手段
６  強化チモト
７  係止体
８  摺動係止体
９  道糸
１０  係止部
１４  竹動補償用飛ばし手段
１５  位置決めリング
１６  先糸
１６ａ  先糸の先端
１６ｂ  先糸の後端
１７  補強体
１７Ａ  補強体の一端
１７Ｂ  補強体の他端
【図１】
0004821032.tif 000002
【図２】
0004821032.tif 000003
【図３】
0004821032.tif 000004
【図４】
0004821032.tif 000005
【図５】
0004821032.tif 000006
【図６】
0004821032.tif 000007
【図７】
0004821032.tif 000008
【図８】
0004821032.tif 000009
【図９】
0004821032.tif 000010
【図１０】
0004821032.tif 000011
【図１１】
0004821032.tif 000012
【図１２】
0004821032.tif 000013
【図１３】
0004821032.tif 000014
【図１４】
0004821032.tif 000015
【図１５】
0004821032.tif 000016